(57)【要約】【課題】アド・ドロップする波長を必要に応じて可変できる光デバイスと光通信システムを提供する。【解決手段】光デバイス１は、光周波数特性を任意に可変設定可能な光デジタルフィルタ２を設けて、ネットワークを伝送する波長多重光の少なくとも１つの波長を選択的に透過する機能を持たせる。光デジタルフィルタ２は、複数の光出力端１７を有する光分岐カプラ７と、複数の光入力端１８を有する光合波カプラ１１と、光分岐カプラ７のそれぞれの光出力端１７と光合波カプラの対応する光入力端１８とを接続する接続部１２とを設けて形成し、接続部１２は光減衰器８と光位相調整器９と光遅延回路１０とを直列接続して形成する。光減衰器８の光振幅と光位相調整器９の位相変化量を可変設定することにより光デジタルフィルタ２の光周波数特性を任意に可変設定可能とする。【選択図】　　　　図１
2004109214.tif 000002
【特許請求の範囲】
【請求項１】
複数の光伝送路のネットワークと、これらのネットワーク同士の接続部に介設される光デバイスとを有し、該光デバイスは前記ネットワークを伝送する波長多重光の少なくとも１つの波長を選択的に透過する機能を有している光通信システムであって、前記光デバイスは光周波数特性を任意に可変設定可能な光デジタルフィルタを有することを特徴とする光通信システム。
【請求項２】
光デジタルフィルタは有限インパルス応答フィルタとしたことを特徴とする請求項１記載の光通信システム。
【請求項３】
光デジタルフィルタは光トランスバーサルフィルタとしたことを特徴とする請求項１または請求項２記載の光通信システム。
【請求項４】
光デジタルフィルタは、複数の光出力端を有する光分岐カプラと、複数の光入力端を有する光合波カプラと、前記光分岐カプラのそれぞれの光出力端と前記光合波カプラの対応する光入力端とを接続する接続部とを有し、該接続部は光減衰器と光位相調整器と光遅延回路とを直列接続して形成されており、前記光減衰器の光振幅と前記光位相調整器の位相変化量を可変設定することにより光デジタルフィルタの光周波数特性を任意に可変設定可能としたことを特徴とする請求項１または請求項２または請求項３記載の光通信システム。
【請求項５】
光デジタルフィルタは基板上に石英系光導波路を形成して成る平面光導波回路により形成したことを特徴とする請求項１乃至請求項４のいずれか一つに記載の光通信システム。
【請求項６】
光デバイスは、複数の光デジタルフィルタと、入射光を分岐して該分岐光をそれぞれの光デジタルフィルタに入力する少なくとも１つのフィルタ入力カプラを設けて形成したことを特徴とする請求項１乃至請求項５のいずれか一つに記載の光通信システム。
【請求項７】
少なくとも１つの光デジタルフィルタを有し、該光デジタルフィルタは、複数の光出力端を有する光分岐カプラと、複数の光入力端を有する光合波カプラと、前記光分岐カプラのそれぞれの光出力端と前記光合波カプラの対応する光入力端とを接続する接続部とを有し、該接続部は光減衰器と光位相調整器と光遅延回路とを直列接続して形成されており、前記光減衰器の光振幅と前記光位相調整器の位相変化量を可変設定することにより光デジタルフィルタの光周波数特性を任意に可変設定可能としたことを特徴とする光デバイス。
【請求項８】
光デジタルフィルタは基板上に石英系光導波路を形成して成る平面光導波回路により形成したことを特徴とする請求項７記載の光デバイス。
【請求項９】
複数の光デジタルフィルタと、入射光を分岐して該分岐光をそれぞれの光デジタルフィルタに入力する少なくとも１つのフィルタ入力カプラを設けて形成したことを特徴とする請求項７または請求項８記載の光デバイス。
【発明の詳細な説明】
【０００１】
【発明の属する技術分野】
本発明は、例えば波長分割多重伝送等に適用される光通信システムおよびその光通信システムに用いられる光デバイスに関するものである。
【０００２】
【背景技術】
情報流通社会における基幹ネットワーク、あるいは地球ネットワークでは、数百Ｇｂｉｔ／ｓ以上の超大容量の信号を低コスト、かつ、低遅延で伝送するネットワークが必要となる。このような大容量の信号を、従来のように電気信号で処理するシステムでは、装置規模が莫大となり、コストならびに遅延時間の点であまり有効ではない。
【０００３】
そのため、低コスト、かつ、低遅延なリングネットワークの提供が望まれており、このネットワークの実現のために、波長多重された光信号を光のままで処理するＯＡＤＭ（Ｏｐｔｉｃａｌ　Ａｄｄ　Ｄｒｏｐ　Ｍｏｄｕｌｅ）システムが検討されている。
【０００４】
このＯＡＤＭシステムは、例えば図２に示すように、光伝送路をリング状に形成した複数のネットワーク（リングネットワーク）３と、これらのネットワーク３同士の接続部に介設される光デバイス１とを有し、該光デバイス１はネットワーク３を伝送する波長多重光の少なくとも１つの波長を選択的に透過する機能を有している。
【０００５】
図２において、例えば光デバイス１（１ａ）は、ネットワーク３（３ａ）を伝送している波長多重光の少なくとも１つの波長（例えば波長λＡ、λＢ）を選択的に透過する。この波長光はネットワーク３（３ｂ）に送られ、ネットワーク３（３ｂ）を伝送する。
【０００６】
また、例えば光デバイス１（１ｂ）は、ネットワーク３（３ｂ）を伝送している波長多重光の少なくとも１つの波長（例えば波長λＣ、λＤ）を選択的に透過する。この波長光はネットワーク３（３ａ）に送られ、ネットワーク３（３ａ）を伝送する。
【０００７】
これらのように、光デバイス１は、ネットワーク３間における波長のやりとり、つまり、光波長信号の追加や取り出し（アド・ドロップ）を行うものであり、光デバイス１はＯＡＤＭとも呼ばれている。
【０００８】
図２において、光デバイス１は、ロングホールと呼ばれる基幹波長分割多重伝送路２３とネットワーク３との間にも設けられ、これらの伝送路が接続されてＯＡＤＭシステムが形成されている。
【０００９】
ＯＡＤＭシステムにおいて、ネットワーク３間に介設される光デバイス１は、従来、光波長分波器と光波長合波器と光スイッチを組み合わせて形成されており、予め設定されている光波長信号の追加や取り出しを行っている（例えば、非特許文献１参照。）。
【００１０】
【非特許文献１】
Ｋ．Ｏｋａｍｏｔｏ　ｅｔ　ａｌ．著「Ｅｌｅｃｔｒｏｎ．Ｌｅｔｔ．３２」、１９９６年、ｐ．１４７１−１４７２
【００１１】
【発明が解決しようとする課題】
ところで、本発明者は、上記のようなＯＡＤＭシステムにおいて、光デバイス１によりアド・ドロップする波長を必要に応じて可変できれば、ＯＡＤＭシステムの自由度を拡げることができると考えた。
【００１２】
しかしながら、上記のように、従来のＯＡＤＭシステムにおいては、予め設定されている光波長信号のみ、アド・ドロップできる光デバイス１を適用しているので、予め設定されている光波長信号の出し入れしか行うことができなかった。
【００１３】
本発明は上記課題を解決するために成されたものであり、その目的は、必要に応じて出し入れする光信号波長を変えることができ、超大容量の信号を低コスト、低遅延で伝送可能なＯＡＤＭシステムの構築を図ることができる光通信システムおよびその光通信システムに用いられる光デバイスを提供することにある。
【００１４】
【課題を解決するための手段】
上記目的を達成するために、本発明は次のような構成をもって課題を解決するための手段としている。すなわち、第１の発明の光通信システムは、複数の光伝送路のネットワークと、これらのネットワーク同士の接続部に介設される光デバイスとを有し、該光デバイスは前記ネットワークを伝送する波長多重光の少なくとも１つの波長を選択的に透過する機能を有している光通信システムであって、前記光デバイスは光周波数特性を任意に可変設定可能な光デジタルフィルタを有する構成をもって課題を解決する手段としている。
【００１５】
また、第２の発明の光通信システムは、上記第１の発明の構成に加え、前記光デジタルフィルタは有限インパルス応答フィルタとした構成をもって課題を解決する手段としている。
【００１６】
さらに、第３の発明の光通信システムは、上記第１または第２の発明の構成に加え、前記光デジタルフィルタは光トランスバーサルフィルタとした構成をもって課題を解決する手段としている。
【００１７】
さらに、第４の発明の光通信システムは、上記第１または第２または第３の発明の構成に加え、前記光デジタルフィルタは、複数の光出力端を有する光分岐カプラと、複数の光入力端を有する光合波カプラと、前記光分岐カプラのそれぞれの光出力端と前記光合波カプラの対応する光入力端とを接続する接続部とを有し、該接続部は光減衰器と光位相調整器と光遅延回路とを直列接続して形成されており、前記光減衰器の光振幅と前記光位相調整器の位相変化量を可変設定することにより光デジタルフィルタの光周波数特性を任意に可変設定可能とした構成をもって課題を解決する手段としている。
【００１８】
さらに、第５の発明の光通信システムは、上記第１乃至第４のいずれか一つの発明の構成に加え、前記光デジタルフィルタは基板上に石英系光導波路を形成して成る平面光導波回路により形成した構成をもって課題を解決する手段としている。
【００１９】
さらに、第６の発明の光通信システムは、上記第１乃至第５のいずれか一つの発明の構成に加え、前記光デバイスは、複数の光デジタルフィルタと、入射光を分岐して該分岐光をそれぞれの光デジタルフィルタに入力する少なくとも１つのフィルタ入力カプラを設けて形成した構成をもって課題を解決する手段としている。
【００２０】
さらに、第７の発明の光デバイスは、少なくとも１つの光デジタルフィルタを有し、該光デジタルフィルタは、複数の光出力端を有する光分岐カプラと、複数の光入力端を有する光合波カプラと、前記光分岐カプラのそれぞれの光出力端と前記光合波カプラの対応する光入力端とを接続する接続部とを有し、該接続部は光減衰器と光位相調整器と光遅延回路とを直列接続して形成されており、前記光減衰器の光振幅と前記光位相調整器の位相変化量を可変設定することにより光デジタルフィルタの光周波数特性を任意に可変設定可能とした構成をもって課題を解決する手段としている。
【００２１】
さらに、第８の発明の光デバイスは、上記第７の発明の構成に加え、前記光デジタルフィルタは基板上に石英系光導波路を形成して成る平面光導波回路により形成した構成をもって課題を解決する手段としている。
【００２２】
さらに、第９の発明の光デバイスは、上記第７または第８の発明の構成に加え、複数の光デジタルフィルタと、入射光を分岐して該分岐光をそれぞれの光デジタルフィルタに入力する少なくとも１つのフィルタ入力カプラを設けて形成した構成をもって課題を解決する手段としている。
【００２３】
【発明の実施の形態】
以下、本発明の実施の形態を、図面を参照して説明する。本発明に係る光通信システムの第１実施形態例は、図２に示す構成の光通信システムにおいて、光デバイス１を、図１に示すような、光周波数特性を任意に可変設定可能な光デジタルフィルタ２を有する構成としたことを特徴としている。なお、光デバイス１は、図示されていないパッケージ内に、図１に示す光デジタルフィルタ２を収容して成る。
【００２４】
上記光デジタルフィルタ２は有限インパルス応答フィルタ（Ｆｉｎｉｔｅ−Ｉｍｐｕｌｓｅ−Ｒｅｓｐｏｎｓｅ−Ｆｉｌｔｅｒ）であり、光トランスバーサルフィルタである。有限インパルス応答フィルタは、得たい特性を有限の要素で分割していき、近似していくことによりフィルタ波形を形成するものであり、光トランスバーサルフィルタは、有限インパルス応答フィルタの一種である。
【００２５】
また、本実施形態例に適用されている光デジタルフィルタ２は基板１５上に石英系光導波路を形成して成る平面光導波回路により形成されている。
【００２６】
図１に示すように、光デジタルフィルタ２は、複数の光出力端１７を有する光分岐カプラ（スプリッタ）７と、複数の光入力端１８を有する光合波カプラ（コンバイナー）１１と、前記光分岐カプラ７のそれぞれの光出力端１７と前記光合波カプラ１１の対応する光入力端１８とを接続する接続部１２とを有している。
【００２７】
該接続部１２は光減衰器（ＶＯＡ　；　Ｖａｒｉａｂｌｅ　Ｏｐｔｉｃａｌ　Ａｔｔｅｎｕａｔｉｏｎ）８と光位相調整器９と光遅延回路１０とを直列接続して形成されており、前記光減衰器８の光振幅と前記光位相調整器９の位相変化量を可変設定することにより光デジタルフィルタ１の光周波数特性を任意に可変設定可能としている。
【００２８】
各光減衰器８は、２本の光導波路（コア）を並設して成るマッハツェンダ光干渉計回路を有し、２つの方向性結合部４に挟まれた光導波路にヒーター５を形成して成る。各光位相調整器９は１本の光導波路を有してこの光導波路にヒーター６を形成して成る。光遅延回路１０は、互いに光導波路の長さを異なる長さに形成して成る。
【００２９】
なお、光減衰器８と光位相調整器９と光遅延回路１０の接続順は特に限定されるものではなく適宜設定されるものである。また、光減衰器８と光位相調整器９と光遅延回路１０の間に、必要に応じて他の回路を介設することもできる。
【００３０】
図１に示す光デジタルフィルタ２において、光分岐カプラ７のタップ数（分岐数）をＮとすると、光分岐カプラ７から光位相調整器９までの伝達関数は、（数１）により表される。
【００３１】
【数１】
2004109214.tif 000003
【００３２】
ここで、ｇｎ＝ａｎｅｊθｎとおく。ａｎは光減衰器８の光振幅、θｎは位相調整器（位相シフタ）の位相変化量であり、これらを光トランスバーサルフィルタのタップ係数とする。なお、ｊは√（−１）である。
【００３３】
光遅延回路１０から光合波カプラ１１までの伝達関数を（数１）の伝達関数に合わせると、光トランスバーサルフィルタの伝達関数Ｇは、（数２）となる。
【００３４】
【数２】
2004109214.tif 000004
【００３５】
なお、βは導波路の伝搬定数、ΔＬは光遅延回路の光路長差、ｎｅｆｆは導波路の等価屈折率、ｃは光速、ｆは光周波数、ｌは整数である。
【００３６】
ここで、（数３）、（数４）、（数５）とすると（ただし、ｍは整数）、（数６）が導かれる。
【００３７】
【数３】
2004109214.tif 000005
【００３８】
【数４】
2004109214.tif 000006
【００３９】
【数５】
2004109214.tif 000007
【００４０】
【数６】
2004109214.tif 000008
【００４１】
そして、（数７）のように、離散的フーリエ変換によりｇｎが求まる。
【００４２】
【数７】
2004109214.tif 000009
【００４３】
よって、タップ係数（光減衰器８の光振幅ａｎと光位相調整器９の位相変化量θｎ）は、それぞれ、（数８）、（数９）となる。
【００４４】
【数８】
2004109214.tif 000010
【００４５】
【数９】
2004109214.tif 000011
【００４６】
したがって、得たい光周波数特性Ｇが分かっていれば、上記手順により、光トランスバーサルフィルタにより形成された光デジタルフィルタ２のタップ係数を最適に決定することができ、それにより得たい光周波数特性Ｇを近似することができる。
【００４７】
そこで、本実施形態例では、光減衰器８の光振幅と前記光位相調整器９の位相変化量を可変設定することにより、光デジタルフィルタ２の光周波数特性を任意に可変設定可能としている。
【００４８】
また、本実施形態例の光デバイス１に適用されている光デジタルフィルタ２は、以下のようにして製造される。つまり、火炎加水分解堆積法を用いてシリコン基板上に石英系ガラスのアンダークラッド膜、コア膜を形成する。
【００４９】
その後、光トランスバーサルフィルタの回路が描かれたフォトマスクを介してフォトリソグラフィー、反応性イオンエッチング法にてコア膜に光トランスバーサルフィルタパターンを転写し、コア（光導波路）の回路を形成する。その後、再度、火炎加水分解堆積法を用いて石英系ガラスのオーバークラッド膜を形成し、光デジタルフィルタ２を形成する。
【００５０】
また、光減衰器８と光位相調整器９には、それぞれ、オーバークラッド膜上部にスパッタ法によりＴｉＮｉヒーター５，６を形成する。そして、これらのヒーター５，６に通電することによりヒーター５，６を発熱させ、その熱によって、石英系光導波路のコアにより形成された光減衰器８と光位相調整器９に熱光学効果を発生させて、光減衰器８の光減衰量と光位相調整器９の位相調整量を可変する構成とする。
【００５１】
また、本実施形態例に適用した光デジタルフィルタ２は１６タップ（タップ数が１６）のものとしている。なお、図１においては、光分岐カプラ７のタップ数を８に省略して示している。また、本実施形態例では、光デジタルフィルタ２を、１波の光波長可変フィルタに形成するため、そのタップ係数を、上記方法を適用してコンピュータシミュレーションにより求めた。
【００５２】
上記シミュレーション結果を表１に示す。なお、表１において、Ｔａｐ　Ｎｕｍはタップナンバーを示し、ＴＦは光トランスバーサルフィルタを示す。このシミュレーションでは、ＴＦ１からＴＦ６（つまり光トランスバーサルフィルタのサンプル番号▲１▼から▲６▼まで）についてそれぞれタップ係数を求めた。
【００５３】
【表１】
2004109214.tif 000012
【００５４】
上記シミュレーション結果に基づいて形成した光デジタルフィルタ２の特性は図３に示すとおりである。図３の特性線ａがＴＦ１の特性を示し、特性線ｂ〜特性線ｆが順にＴＦ２〜ＴＦ６の特性を示す。
【００５５】
以上のように、本実施形態例では、光デバイス１が所望の光フィルタリング特性を実現するために、それに応じた構成回路のタップ係数を最適化し、光フィルタリング特性を近似するものであるため、任意の光周波数特性を得ることができる。
【００５６】
つまり、本実施形態例では、予め決定された波長で動作する光フィルタの中心波長を何らかの手段で動かして光波長可変フィルタを構成するしかなかった従来の光デバイス１と異なり、容易に、かつ、高精度で所望の特性を有する光デバイス１を形成できる。
【００５７】
したがって、本実施形態例の光通信システムは、非常に簡便な構成で、アド・ドロップする波長を任意に設定したり再設定したりできるＯＡＤＭシステムを実現できる。
【００５８】
次に、本発明に係る光通信システムの第２実施形態例について説明する。第２実施形態例の光通信システムは上記第１実施形態例の光通信システムとほぼ同様に構成されており、第２実施形態例の説明において第１実施形態例と同一名称部分には同一符号を付し、その重複説明は省略する。
【００５９】
第２実施形態例が上記第１実施形態例と異なる特徴的なことは、光デバイス１の光デジタルフィルタ２を、タップ数が３２の３波ドロップ用の光波長可変フィルタとしたことである。
【００６０】
表２に、第２実施形態例に適用した光デジタルフィルタ２のタップナンバーとタップ係数のシミュレーション結果を示す。
【００６１】
【表２】
2004109214.tif 000013
【００６２】
また、このシミュレーション結果に基づいて、形成した光デジタルフィルタ２の特性は図４に示すとおりである。図４の特性線ａがＴＦ１の特性を示し、特性線ｂがＴＦ２の特性を示す。
【００６３】
以上のように、第２実施形態例も上記第１実施形態例と同様の効果を奏することができる。
【００６４】
次に、本発明に係る光通信システムの第３実施形態例について説明する。第３実施形態例の光通信システムは上記第１、第２実施形態例の光通信システムとほぼ同様に構成されており、第３実施形態例の説明において第１、第２実施形態例と同一名称部分には同一符号を付し、その重複説明は省略する。
【００６５】
第３実施形態例が上記第１、第３実施形態例と異なる特徴的なことは、図５に示すように、光デバイス１を、複数の光デジタルフィルタ２（２ａ，２ｂ）と、少なくとも１つ（ここでは１つ）のフィルタ入力カプラ１３を設けて形成したことである。フィルタ入力カプラ１３は、入射光を分岐して該分岐光をそれぞれの光デジタルフィルタ２（２ａ，２ｂ）に入力するカプラである。
【００６６】
それぞれの光デジタルフィルタ２（２ａ，２ｂ）のタップ数は３２である。なお、図５においては、それぞれの光デジタルフィルタ２（２ａ，２ｂ）における光分岐カプラ７のタップ数を８に省略して示している。
【００６７】
光デジタルフィルタ２ａは、１波を透過してドロップするドロップ（ＤＲＯＰ）用の光波長可変フィルタとし、光デジタルフィルタ２ｂは、光デジタルフィルタ２ａがドロップする波長以外の全ての波長を透過するスルー（ＴＨＲＯＵＧＨ）フィルタとした。
【００６８】
表３に、第３実施形態例に適用した光デジタルフィルタ２（２ａ，２ｂ）のタップナンバーとタップ係数のシミュレーション結果を示す。
【００６９】
【表３】
2004109214.tif 000014
【００７０】
また、このシミュレーション結果に基づいて、形成した光デジタルフィルタ２の特性は図６に示すとおりである。図６の特性線ａが光デジタルフィルタ２ａの特性を示し、特性線ｂが光デジタルフィルタ２ｂの特性を示す。
【００７１】
以上のように、第３実施形態例も上記第１、第２実施形態例と同様の効果を奏することができる。また、第３実施形態例は、一方の光デジタルフィルタ２ａをドロップ用の光波長可変フィルタとし、他方の光デジタルフィルタ２ｂを、光デジタルフィルタ２ａがドロップする波長以外の全ての波長を透過するスルーフィルタとしているので、光分波精度をより一層向上させることができる。
【００７２】
なお、本発明は上記実施形態例に限定されることはなく、様々な実施の態様を採り得る。例えば光デバイス１に設けられている光デジタルフィルタ２のタップ数は特に限定されるものでなく適宜設定されるものである。
【００７３】
また、光デバイス１に設けられている光デジタルフィルタ２の数も適宜設定されるものである。例えば第３実施形態例に適用されている光デバイスのように、複数の光デジタルフィルタ２を設けて光デバイス１を形成する場合、少なくとも１つのフィルタ入力カプラ１３を設けて光デバイス１を形成することにより、光分波精度を向上できる。なお、フィルタ入力カプラ１３は、分岐数が２の光カプラを多段接続した回路としてもよいし、分岐数が３以上のスターカプラとしてもよい。
【００７４】
【発明の効果】
本発明の光通信システムによれば、ネットワークを伝送する波長多重光の少なくとも１つの波長を選択的に透過する機能を有する光デバイスを、光周波数特性を任意に可変設定可能な光デジタルフィルタを有する構成としたものであるから、非常に簡便な構成で、アド・ドロップする波長を任意に設定したり再設定したりできるＯＡＤＭシステムを実現できる。
【００７５】
また、本発明の光通信システムにおいて、光デジタルフィルタは有限インパルス応答フィルタ、例えば有限インパルス応答フィルタの一種である光トランスバーサルフィルタすることにより、上記優れた効果を奏する光通信システムを容易に実現することができる。
【００７６】
さらに、本発明の光通信システムおよび光デバイスにおいて、光デジタルフィルタは、光分岐カプラと、光合波カプラと、光減衰器と光位相調整器と光遅延回路とを接続して形成した構成によれば、前記光減衰器の光振幅と前記光位相調整器の位相変化量を可変設定することにより光デジタルフィルタの光周波数特性を容易に任意に可変設定でき、上記光通信システムの実現を図ることができる。
【００７７】
さらに、本発明の光通信システムおよび光デバイスにおいて、光デジタルフィルタは基板上に石英系光導波路を形成して成る平面光導波回路により形成した構成によれば、光デジタルフィルタを容易に、かつ、高精度に形成でき、上記光通信システムの実現を図ることができる。
【００７８】
さらに、本発明の光通信システムおよび光デバイスにおいて、光デジタルフィルタは複数の光デジタルフィルタと、入射光を分岐して該分岐光をそれぞれの光デジタルフィルタに入力する少なくとも１つのフィルタ入力カプラを設けて形成した構成によれば、光デジタルフィルタをより一層高精度に形成でき、上記光通信システムの実現を図ることができる。
【図面の簡単な説明】
【図１】本発明に係る光通信システムの第１実施形態例に適用されている光デバイスのフィルタ構成を示す要部構成図である。
【図２】リングネットワークを有する光通信システムの例を示す説明図である。
【図３】上記第１実施形態例に適用されている光デバイスのフィルタ特性を示すグラフである。
【図４】上記第２実施形態例に適用されている光デバイスのフィルタ特性を示すグラフである。
【図５】本発明に係る光通信システムの第３実施形態例に適用されている光デバイスのフィルタ構成を示す要部構成図である。
【図６】上記第３実施形態例に適用されている光デバイスのフィルタ特性を示すグラフである。
【符号の説明】
１　光デバイス
２　光デジタルフィルタ
３　ネットワーク
４　方向性結合部
５，６　ヒーター
７　光分岐カプラ
８　光減衰器
９　光位相調整器
１０　光遅延回路
１１　光合波カプラ
１２　接続部
１３　フィルタ入力カプラ
１５　基板
【図１】
2004109214.tif 000015
【図２】
2004109214.tif 000016
【図３】
2004109214.tif 000017
【図４】
2004109214.tif 000018
【図５】
2004109214.tif 000019
【図６】
2004109214.tif 000020